(57)【要約】      （修正有）【課題】常時変化する天候条件に耐性を有し、ハウジング内への水分および水の侵入を抑制および防止することができる改善された照明装置、つまり、耐性および信頼性が向上した照明装置を提供する。【解決手段】ウォールウォッシュライト１０の照明装置は、開口部を有し密閉空間をなすハウジング１２を具備する。膜ホルダが、上記ハウジング１２に連結され、上記開口部を覆う位置に空気透過性かつ液体不透過性の膜を保持する。上記膜は、上記密閉空間内の空気を周囲環境と連通させ、これによって、上記密閉空間内の気圧と上記周囲環境の気圧との均衡を保ち、光源が発生する熱を上記密閉空間内部から上記周囲環境へ放散させる。【選択図】図２
0003177209.tif 000002
【実用新案登録請求の範囲】
【請求項１】
（ａ）開口部を有し、密閉空間をなすハウジングと、
（ｂ）前記開口部を覆う空気透過性かつ液体不透過性の膜と、
（ｃ）前記ハウジングに連結され、前記開口部全体にわたって所定の位置に前記膜を保持する膜ホルダと
を具備し、
（ｄ）前記膜は、前記密閉空間内の空気を周囲環境と連通させて、前記密閉空間内の気圧と前記周囲環境の気圧との均衡を保ち、かつ、光源が発生する熱を前記密閉空間内部から前記周囲環境へ放散させること
を特徴とするウォールウォッシュライト。
【請求項２】
請求項１に記載のウォールウォッシュライトであって、
前記膜ホルダは、ベントプラグの形態であり、
前記ベントプラグは、
流路をなすねじ山付きスリーブと、
前記ねじ山付きスリーブの一端部に形成された大径頭部と
を有し、
前記ねじ山付きスリーブは、前記ハウジングに設けられた相補的なねじと螺合すること
を特徴とするウォールウォッシュライト。
【請求項３】
請求項２に記載のウォールウォッシュライトであって、
前記膜は、前記流路の断面方向全体にわたって延びていることを特徴とするウォールウォッシュライト。
【請求項４】
請求項２に記載のウォールウォッシュライトであって、
前記膜は、その周縁部が前記流路内面に形成された環状溝内に保持されたことを特徴とするウォールウォッシュライト。
【請求項５】
請求項２に記載のウォールウォッシュライトであって、
前記大径頭部は、前記膜が着座する環状座部をなすように、径方向内向きに延びる環状突出部と一体形成されたことを特徴とするウォールウォッシュライト。
【請求項６】
請求項２に記載のウォールウォッシュライトであって、
前記ベントプラグが前記ハウジングに固く係合された場合に前記大径頭部と前記ハウジングとの間に形成される間隙を封止するように、前記ねじ山付きスリーブに外嵌されるＯリングをさらに具備することを特徴とするウォールウォッシュライト。
【請求項７】
請求項２に記載のウォールウォッシュライトであって、
前記流路の開端部を覆うように、前記大径頭部に嵌合されるキャップをさらに具備することを特徴とするウォールウォッシュライト。
【請求項８】
請求項２に記載のウォールウォッシュライトであって、
前記ねじ山付きスリーブは、雄ねじ加工され、
前記相補的なねじは、雌ねじ加工されたことを特徴とするウォールウォッシュライト。
【請求項９】
請求項１に記載のウォールウォッシュライトであって、
前記膜は、拡張ポリテトラフルオロエチレン（ｅＰＴＦＥ）製であることを特徴とするウォールウォッシュライト。
【請求項１０】
請求項１に記載のウォールウォッシュライトであって、
前記開口部は、前記ハウジングの背面側の下部に設けられることを特徴とするウォールウォッシュライト。
【請求項１１】
（ａ）開口部を有し、密閉空間をなすハウジングと、
（ｂ）前記開口部を覆う空気透過性かつ液体不透過性の膜と
を具備し、
（ｃ）前記膜は、前記密閉空間内の空気を周囲環境と連通させて、前記密閉空間内の気圧と前記周囲環境の気圧との均衡を保ち、かつ、光源が発生する熱を前記密閉空間内部から前記周囲環境へ放散させること
を特徴とする照明装置。
【請求項１２】
請求項１１に記載の照明装置であって、
前記ハウジングに連結され、前記開口部全体にわたって所定の位置に前記膜を保持する膜ホルダをさらに具備することを特徴とする照明装置。
【請求項１３】
請求項１２に記載の照明装置であって、
前記膜ホルダは、ベントプラグの形態であり、
前記ベントプラグは、
流路をなすねじ山付きスリーブと、
前記ねじ山付きスリーブの一端部に形成された大径頭部と
を有し、
前記ねじ山付きスリーブは、前記ハウジングに設けられた相補的なねじと螺合することを特徴とする照明装置。
【請求項１４】
請求項１３に記載の照明装置であって、
前記膜は、前記流路の断面方向全体にわたって延びることを特徴とする照明装置。
【請求項１５】
請求項１３に記載の照明装置であって、
前記膜は、その周縁部が前記流路内面に形成された環状溝内に保持されたことを特徴とする照明装置。
【請求項１６】
請求項１３に記載の照明装置であって、
前記大径頭部は、前記膜が着座する環状座部を画定するように、径方向内向きに延びる環状突出部と一体形成されることを特徴とする照明装置。
【請求項１７】
請求項１３に記載の照明装置であって、
前記ベントプラグが前記ハウジングに固く係合された場合に前記大径頭部と前記ハウジングとの間に形成される間隙を封止するように、前記ねじ山付きスリーブに外嵌されるＯリングをさらに具備することを特徴とする照明装置。
【請求項１８】
請求項１３に記載の照明装置であって、
前記流路の開端部を覆うように、前記大径頭部に嵌合されるキャップをさらに具備することを特徴とする照明装置。
【請求項１９】
請求項１３に記載の照明装置であって、
前記ねじ山付きスリーブは、雄ねじ加工され、
前記相補的なねじは、雌ねじ加工されたこと
を特徴とする照明装置。
【請求項２０】
請求項１１に記載の照明装置であって、
前記膜は、拡張ポリテトラフルオロエチレン（ｅＰＴＦＥ）製であることを特徴とする照明装置。
【請求項２１】
請求項１１に記載の照明装置であって、
前記開口部は、前記ハウジングの背面側の下部に設けられることを特徴とする照明装置。
【考案の詳細な説明】
【技術分野】
【０００１】
本考案は、ブリーザ（通気孔）を有するウォールウォッシュライトに関する。
【背景技術】
【０００２】
ウォールウォッシュライト等の室外照明装置は、その室外環境において常に温度および圧力変化に曝される。係る常時温度および圧力変化、粉塵、汚れ、ならびに湿気は、係る室外照明装置のハウジングに大きな影響を及ぼす可能性がある。
【０００３】
例えば、降雨によって、室外照明装置のハウジングの温度が急激に低下し得る。この急激な温度低下によって、ハウジング内に真空状態（約１５０ｍｂａｒ以下）が生み出される。これによって、ハウジングの周囲環境の空気および水分が当該ハウジングの間隙から当該ハウジングに侵入する。水分がハウジングの内面に付着し、凝縮して水滴となる。ハウジング内の水分および水は、従来の照明装置の機能性に深刻な影響を与える可能性がある。
【０００４】
また、常に温度が変化して応力が加わることで、ハウジングの止水板が変形し、当該止水板の疲労につながる。したがって、上記水分とは別に、このように変形したハウジングの止水板から当該ハウジング内へ水および他の流体が侵入する場合もある。水および腐食性流体は、ハウジング内部に蓄積し始め、最終的に当該ハウジング内の電子製品およびインダクタ製品の故障を引き起こすことになる。
【考案の概要】
【考案が解決しようとする課題】
【０００５】
したがって、常時変化する天候条件に耐性を有し、ハウジング内への水分および水の侵入を抑制および防止することができる改善された照明装置、つまり、耐性および信頼性が向上した照明装置を製造することが望まれている。
【課題を解決するための手段】
【０００６】
本考案の一態様によれば、開口部を有し、密閉空間を画定するハウジングを具備するウォールウォッシュライト等の照明装置が提供される。上記開口部を覆うために空気透過性かつ液体不透過性の膜が用いられる。膜ホルダが上記ハウジングに連結され、上記開口部全体にわたって所定の位置に上記膜を保持する。上記膜は、上記密閉空間内の空気を周囲環境と連通させ、これによって、上記密閉空間内の気圧と上記周囲環境の気圧との均衡を保ち、かつ、光源が発生する熱を上記密閉空間内部から上記周囲環境へ放散させる。
【０００７】
一実施形態では、上記膜ホルダは、ベントプラグの形態であり、上記ベントプラグは、流路を画定するねじ山付きスリーブと、当該ねじ山付きスリーブの一端部に形成された大径頭部とを有する。上記ねじ山付きスリーブは、上記ハウジングに設けられた相補的なねじと螺合する。上記膜は、上記流路の断面方向全体にわたって延びてもよい。上記膜は、その周縁部を、上記流路内面に形成された環状溝内に保持されてもよい。上記大径頭部は、上記膜が着座する環状座部を画定するように、径方向内向きに延びる環状突出部と一体形成されてもよい。
【０００８】
上記ウォールウォッシュライトは、上記ベントプラグが上記ハウジングに固く係合された場合に上記大径頭部と上記ハウジングとの間に形成される間隙を封止するように、上記ねじ山付きスリーブに外嵌されるＯリングをさらに具備してもよい。上記ウォールウォッシュライトは、上記流路の開端部を覆うように、上記大径頭部に嵌合されるキャップをさらに具備してもよい。
【０００９】
一実施形態では、上記開口部は、上記ハウジングの背面側の下部に設けられてもよい。上記膜は、拡張ポリテトラフルオロエチレン（ｅＰＴＦＥ）製であってもよい。
【図面の簡単な説明】
【００１０】
【図１】本考案の一実施形態に係るウォールウォッシュライトの正面斜視図である。
【図２】本考案の一実施形態に係るブリーザを示すウォールウォッシュライトの背面斜視図である。
【図３】図２のブリーザの分解図である。
【図４】本考案の一実施形態に係るブリーザの拡大断面図である。
【考案を実施するための形態】
【００１１】
本考案の具体的な実施形態を添付の図面を参照しながら例示として説明する。
【００１２】
図１は、本考案の一実施形態に係るウォールウォッシュライト１０の正面斜視図である。ウォールウォッシュライト１０は、図面全体にわたって参照符号１２で示すハウジングを有する。ハウジング１２は、フロントパネル１４、透明ガラス１６、およびリアパネル１８を有する。フロントパネル１４、透明ガラス１６、およびリアパネル１８は共に、ハウジング１２内に密閉空間をなしている。フロントパネル１４およびリアパネル１８は、アルミニウム製としてもよく、または任意の他の適した材料から形成してもよい。フロントパネル１４およびリアパネル１８を共に締結するために、ねじ等の従来の締結手段を用いることができる。ハウジング１２は、概ね矩形状とすることができる。
【００１３】
ハウジング１２内部には、１つまたは複数のＬＥＤ（発光ダイオード）モジュール２０、２２が取り付けられる。ＬＥＤモジュール２０、２２はそれぞれ、複数のハイパワーＬＥＤを有してもよい。これらのハイパワーＬＥＤは一般的に、異なるビーム角の光を生成可能であると共に光効率が高い反射器／屈折器およびレンズ２４を有する。
【００１４】
透明ガラス１６には、従来の止水板を外嵌して、ハウジング１２内への水および粉塵の侵入を防止することができる。ハウジング１２は、ベース部材２８に枢動可能に連結される。
【００１５】
図２は、本考案の一実施形態に係るブリーザ３０を示すウォールウォッシュライト１０の背面斜視図である。図示の実施形態によれば、ブリーザ３０は、ハウジング１２の背面側の下部に設けられる。この位置において、ブリーザ３０は過酷な天候条件から保護されながらも、ユーザが当該ブリーザ３０に容易にアクセス可能となっている。ブリーザ３０の詳細は後述する。
【００１６】
図３および図４はそれぞれ、本考案の一実施形態に係るブリーザ３０の分解図および断面図である。図示の実施形態によれば、ブリーザ３０は、ねじ山付きスリーブ部３２と、大径頭部３４とを有するベントプラグの形態とすることができる。大径頭部３４は、ねじ山付きスリーブ部３２の一端部に一体形成してもよい。ねじ山付きスリーブ部３２は、雄ねじ加工され、ハウジング１２に形成された雌ねじと螺合する。ねじ山付きスリーブ部３２および大径頭部３４は、樹脂製としてもよく、または任意の他の適した材料から形成してもよい。
【００１７】
ブリーザ３０は、空気透過性かつ液体不透過性の膜３６を有する。空気透過性かつ液体不透過性の膜３６は、ハウジング１２に形成された開口部４０を覆うのに用いられる。本実施形態では、開口部４０は、ハウジング１２のリアパネル１８の下部に形成される。空気透過性かつ液体不透過性の膜３６は、ブリーザ３０の内部に装着される。空気透過性かつ液体不透過性の膜３６は、ねじ山付きスリーブ部３２によって画定された流路３８の断面方向全体にわたって延びている。
【００１８】
ねじ山付きスリーブ部３２および大径頭部３４は、開口部４０全体にわたって所定の位置に空気透過性かつ液体不透過性の膜３６を保持するためのホルダの役割を果たす。空気透過性かつ液体不透過性の膜３６は、様々な方法でブリーザ３０の内部に装着することができる。図示の実施形態によれば、空気透過性かつ液体不透過性の膜３６の周縁部が、流路３８の内面に形成された環状溝４２内に保持される。大径頭部３４は、径方向内向きに延びる環状突出部４４と一体形成してもよい。この環状突出部４４は、空気透過性かつ液体不透過性の膜３６が着座する環状座部を画定する。図示の実施形態によれば、径方向内向きに延びる環状突出部４４は、三角形断面を有する。
【００１９】
空気透過性かつ液体不透過性の膜３６は、拡張ポリテトラフルオロエチレン（ｅＰＴＦＥ）製としてもよく、または任意の他の適した材料から形成してもよい。ｅＰＴＦＥは、その特徴として、微細多孔質構造を有する。その微細孔は、粉塵等の粒子を捕捉する一方で空気を透過させる。係る微細孔は、本考案において必要とされる様々な度合いの「通気性」を実現するように設計可能である。
【００２０】
ウォールウォッシュライト１０内に空気透過性かつ液体不透過性の膜３６を用いることによって、ハウジング１２内へ水および粉塵の侵入を防止することができる。本考案の空気透過性かつ液体不透過性の膜３６は、水分および粉塵に対して耐性を有し、電気機械器具の外郭による保護等級（ＩＰコード）がＩＰ６７である。
【００２１】
ブリーザ３０は、Ｏリング５０をさらに有する。Ｏリング５０は、ブリーザ３０がハウジング１２の雌ねじに完全に螺合して当該ハウジング１２に固く係合された場合に大径頭部３４とハウジング１２との間に形成される間隙を封止するように、ねじ山付きスリーブ部３２に外嵌される。Ｏリング５０は、エラストマー材料製としてもよい。
【００２２】
ブリーザ３０は、キャップ５２をさらに有する。キャップ５２は、ブリーザ３０を使用していないときに流路３８の開端部を覆うように大径頭部３４と嵌合する。図示の実施形態によれば、キャップ５２は、大径頭部３４にスナップ嵌めされる。
【００２３】
ウォールウォッシュライト１０にブリーザ３０を取り付ける場合、ブリーザ３０を、ハウジング１２の相補的な雌ねじと螺合する。ブリーザ３０がハウジング１２と完全に螺合してしっかり係合すると、大径頭部３４とハウジング１２との間にＯリング５０が当接する。これによって、ブリーザ３０とハウジング１２との間の間隙を効果的に封止することができる。その後、キャップ５２を取り外すことができる。
【００２４】
ウォールウォッシュライト１０のスイッチがオンになると、ハウジング１２内のハイパワーＬＥＤが発熱し、ハウジング１２内の空気がある温度まで上昇する。そして、周囲環境の温度が降雨によって急激に低下すると、ハウジング１２の密閉空間に真空状態（約１５０ｍｂａｒ以下）が生成される。従来のウォールウォッシュライトの場合、水蒸気がハウジング１２の間隙からハウジングに侵入し、その凝縮によってハウジングの内面に水滴が形成される。これは往々にして、従来のウォールウォッシュライトの機能性に影響を及ぼす。
【００２５】
しかし、本考案のウォールウォッシュライト１０にはブリーザ３０が設けられており、ハウジング１２の密閉空間内の空気は、ブリーザ３０の空気透過性かつ液体不透過性の膜３６を介して周囲環境に連通している。周囲環境の温度が急激に低下した場合に、ハウジング１２の密閉空間に真空状態が生成される。周囲環境の空気は、空気透過性かつ液体不透過性の膜３６を通じて当該ハウジング１２に引き込まれる。これにより密閉空間と周囲環境との間の気圧の均衡が保たれる。膜３６は液体不透過性であるため、水蒸気は膜３６を通ってハウジング１２に侵入することは不可能であり、凝縮によってハウジング１２の内面に水滴が形成されることもない。
【００２６】
また、ウォールウォッシュライト１０のスイッチがオンになると、ハウジング１２内のハイパワーＬＥＤが発熱するが、ブリーザ３０の空気透過性かつ液体不透過性の膜３６は、それを介して、ハウジング１２内部の熱を周囲環境へ放散させることができる。
【００２７】
本考案のウォールウォッシュライト１０に空気透過性かつ液体不透過性の膜３６を用いることで、ハウジング１２内の密閉空間と周囲環境との間の気圧の均衡を保つことができると共に、ウォールウォッシュライト１０のハウジング１２内への水および水分の侵入を防止することができる。これによって、ハウジング内に設けられた精密電子製品及びインダクタ製品を効果的に保護することができ、係る電子製品およびインダクタ製品が塩害腐食に起因して機能不良を起こす可能性を大幅に低減することができる。これによって、ハウジング１２内での凝縮や曇りの発生を大幅に減少させることも可能である。
【００２８】
本考案のウォールウォッシュライト１０は、過酷な天候条件下で、機能不良を起こすことなく動作可能であり、メンテナンスの必要がない。つまり、本考案のウォールウォッシュライト１０の寿命を延ばすことができる。空気透過性かつ液体不透過性の膜３６を用いることで、本考案のウォールウォッシュライト１０の耐性および信頼性を向上させることができる。
【００２９】
本考案のウォールウォッシュライト１０の全ての作用効果を得るために、複雑な設計および高価なハウジングは必要ないため、本考案のウォールウォッシュライト１０のハウジング１２の設計費用および製造費用を削減可能である。
【００３０】
上記の記載では、ブリーザ３０は、建物の壁を照明するためのウォールウォッシュライト１０に設けられたが、ブリーザ３０は、広告板、道路標識／高速自動車道標識、展示会場、ショッピングモールや廊下のための照明装置（これらの例に限定されないが）を含む任意の他のタイプの照明装置に設けることができることを理解されたい。またベントプラグを、空気透過性かつ液体不透過性の膜３６を保持するためのホルダとして説明したが、空気透過性かつ液体不透過性の膜３６をハウジング１２上で保持し、多種多様な方法で開口部４０を覆うことができることが理解されるであろう。例えば、空気透過性かつ液体不透過性の膜３６を単に、接着手段によってハウジング１２の開口部４０全体にわたって接着することができる。また、開口部４０は、リアパネル１８の底面に形成してもよい。
【００３１】
本考案の複数の好適な実施形態を詳しく参照して図示および説明したが、本考案の実用新案登録請求の範囲から逸脱しない限り、各種の変更や修正が可能であることに留意されたい。
【図１】
0003177209.tif 000003
【図２】
0003177209.tif 000004
【図３】
0003177209.tif 000005
【図４】
0003177209.tif 000006